(57)【要約】【課題】  片手で簡単に溶液の吐出から受け取りまでの一連の動作のできる液体収納容器用ホルダーを提供すること。【解決手段】  液体収納容器用ホルダーＡは、容器４をバンド５で拘持するＬ形の支持体３と、容器４の口端２２を上下の揺動動作で開閉する口端開閉子１２と、該口端開閉子１２の揺動動作に連動して上下に昇降自在に案内される押圧子１７と、該押圧子１７に操作され、容器４の胴部を押圧解放自在に軸支される押圧片１９と、前記口端開閉子１２に揺動動作を与える揺動体１４の押圧レバー１３と戻しバネ１５から成る。【選択図】          図１
2006334381.tif 000002
【特許請求の範囲】
【請求項１】
背板と底板とで一体に形成されるＬ形の支持体と、支持体の上部で容器を背板に拘持するバンドと、背板の背面に設けられる係着体と、支持体の両側でアーム上端の軸部が揺動自在に軸支され、アームの下端には押圧レバーが一体に垂下された揺動体と、アームの下端の操作軸に、その一端が底板の幅方向中央に開口した窓にのぞんで開閉され、所要ストローク摺動自在に軸支されるとともに、他端が前記底板に回動自在に軸支される口端開閉子と、前記軸部に外嵌して前記揺動体に戻し方向の弾発力を付勢する戻しバネと、軸部の凸片で上方へ押し上げられる押圧子と、該押圧子に押圧され、背板の上部で切欠き窓から出入自在として軸支されるＬ形の押圧片と、から成る液体収納容器用ホルダー。
【発明の詳細な説明】
【技術分野】
【０００１】  本発明は、片手で簡単に操作でき、かつ、その操作する手で保持された容器から溶液を受けることのできる家庭用具又は容器補助具としての容器ホルダーに関する。
【背景技術】
【０００２】  手摺りなどの水平棒状体と壁面とを利用した容器ホルダーは、特開２００１−１４９２１０号公報（特許文献１）に提案されているが、特許文献１の容器ホルダーは、ポンプ式の容器を保持するものである上、内容物を受けるときに両手の使用が必要となる。
【特許文献１】  特開２００１−１４９２１０号公報
【発明の開示】
【発明が解決しようとする課題】
【０００３】  本発明は、ポンプ式でない胴部を押圧して溶液を吐出させる液体容器を対象として、片手で内溶液の吐出から受け取りまでの動作のできる液体収納容器用ホルダーを提供しようとするものである。
【課題を解決するための手段】
【０００４】  本発明の液体収納容器用ホルダーは、背板と底板とで一体に形成されるＬ形の支持体と、支持体の上部で容器を背板に拘持するバンドと、背板の背面に設けられる係着体と、支持体の両側でアーム上端の軸部が揺動自在に軸支され、アームの下端には押圧レバーが一体に垂下された揺動体と、アームの下端の操作軸に、その一端が底板の幅方向中央に開口した窓にのぞんで開閉され、所要ストローク摺動自在に軸支されるとともに、他端が前記底板に回動自在に軸支される口端開閉子と、前記軸部に外嵌して前記揺動体に戻し方向の弾発力を付勢する戻しバネと、軸部の凸片で上方へ押し上げられる押圧子と、該押圧子に押圧され、背板の上部で切欠き窓から出入自在として軸支されるＬ形の押圧片と、から成る。
【発明の効果】
【０００５】  本発明の液体収納容器用ホルダーは、液体収納容器を逆さまの姿勢で口端を開閉自在に拘持するとともに、口端開口のタイミングに合わせて液体収納容器の胴部を押圧するものであるが、この一連の動作は押圧レバーの片手操作によってなされるものであり、洗い物などをする場合に、一方の手に皿やコップを持った状態で他方の手に持つ洗い片に洗剤を吐出できるから洗い作業が能率的なものとなるほか、洗剤などの容器を特定位置に整然と使用状態で保管できるなどの効果がある。
【発明を実施するための最良の形態】
【０００６】  背板の背面に設けられる係着体は、吸盤のほか外面に剥離紙を貼着した両面接着テープを一体にした台座や、ビス取付け孔のある台座などである。また、容器を背板に拘持するバンドは、両面を抜き差し調整自在としたものから、一端を固定して他端を着脱自在にしたものでも良しとされ、さらに、底板の後方に回動自在に軸支される口端開閉子において、その前方の長孔でアームに差し渡される操作軸に摺動自在に係合する案内部は口端開閉子本体と一体のものからＴスロットやアリ溝などの係合手段で着脱自在なものも選択される。
【実施例】
【０００７】  本発明を一実施例により説明すると、図１に示すように、所要幅、所要高さの合成樹脂製の背板１と、該背板１と一体で所要幅、所要長さの合成樹脂製の底板２とからなるＬ形の支持体３は、上部に容器４を拘持する抜き差し調整自在なバンド５を設ける。
背面には正面の吸引レバー６に引込まれる係着体である吸盤７を接合し、中間部では、その両側でアーム８の上端の軸部９を揺動自在に軸支し、アーム８の下端に舌状の押圧レバー１３が一体に垂下された揺動体１４が設けられ、底板２の後方に軸支される軸２ａには、図２、図３に示すように、底板２の幅方向中央に開口した窓１０を閉塞するスポンジ状の閉塞材１１を口端開閉子本体１２ｅの上面に接合した口端開閉子１２がその両側端に垂下される軸受部１２ａを介して揺動自在に軸支され、口端開閉子１２の軸受部１２ａより前方の下面両端には前後方向に長孔１２ｂを有する案内部１２ｃが垂下され、両長孔１２ｂに挿通された操作軸１２ｄが、底板２の切欠き溝２ｂを介してその両端で揺動体１４のアーム８の下端に軸支され、前記軸部９には該揺動体１４に戻し方向の弾発力を付勢する戻しバネ１５を外嵌するとともに、軸部９の凸片１６には上下方向に摺動自在に案内される押圧子１７の下端を接触させ、背板１の上部中央には切欠き窓１８が抜かれ、該切欠き窓１８にＬ形の押圧片１９を遊嵌するとともに、縦辺２０を切欠き窓１８から出入自在として軸支し、その横辺２１の下面を前記押圧子１７の上端に接触させて成る。【０００８】  このようにして成る液体収納容器用ホルダー（以下、単にホルダーとする。）Ａは、キッチンなどの使用場所の壁面に吸盤７を吸着させることで接合され、図１の仮想線で示すように、洗剤などの溶液を収納した容器４を、その口端２２が引き出された状態で口端開閉子１２の閉塞材１１に食い込み状にバンド５で拘持して使用に供されるのである。
使用するときは、スポンジからなる洗い片（図外）を持った掌を内に向けた指を押圧レバー１３の前面に当て、仮想線で示すように押圧すると、揺動体１４のアーム８は軸部９を中心に左回転方向に戻しバネ１５の弾発力に抗して回動し、同時に口端開閉子１２は長孔１２ｂに挿通されてアーム８にその両端を係止された操作軸１２ｄを介して軸２ａを中心に左回転され、容器４の口端２２を口端開閉子１２の閉塞材１１から解放し、前記軸部９の凸片１６が押圧子１７を押し上げ、その動作で押圧片１９の縦辺２０が仮想線で示すように背板１の前面から突出されて容器４の胴部を押圧し、溶液を口端２２から吐出させるのである。
溶液を洗い片に受け取って押圧レバー１３から手を離せば、戻しバネ１５の弾発力で揺動体１４が軸部９を中心に右回転し、同時に口端開閉子１２は仮想線で示される位置から軸２ａを中心に右回転し、ついには閉塞材１１で初期設定位置の口端２２を閉塞し、軸部９の凸片１６による押圧子１７の押圧も解放され、それに伴って押圧片１９の縦辺２０が容器４の胴部の復元力によって背板１の切欠き窓１８に収められる。【０００９】  次に、図５に示す口端開閉子１２を説明すると、このものは分図（ａ）に示すように、口端開閉子本体１２ｅの後端に軸２ａが一体に接合され、該軸２ａは底板２の裏面に下端を軸２ａの直径より僅かに狭くして開口垂下した軸受部２ｃで軸支され、口端開閉子本体１２ｅの上面には前記窓１０に嵌着する位相で閉塞材１１が貼着され、裏面には分図（ｃ）に示すように、所要幅のＴスロット１２ｆを設け、該Ｔスロット１２ｆには両アーム８に差し渡される操作軸１２ｄが挿通される長孔１２ｂを有し、分図（ｂ）に示す幅の案内部１２ｃが左右の案内突片１２ｇにおいて着脱自在に嵌着されて成る。【００１０】  このようにして成る口端開閉子１２も図４に示すように、底板２の後方の軸受部２ｃにおいてその軸２ａが回動自在に軸支されるとともに、前方の案内部１２ｃの長孔１２ｂに両アームを通して嵌着される操作軸１２ｄが挿通されて取り付けられ、前記と同様に、押圧レバー１３を仮想線で示す位置に押圧すると、同時に口端開閉子１２も操作軸１２ｄを介して仮想線で示す位置に回動し、容器４の口端２２を解放し、容器の胴部が縦辺２０に押圧されて溶液が片手の洗い片に受け取られ、手を離せば押圧レバー１３は戻しバネ１５の弾発力で元へ戻され、同時に口端開閉子１２もその閉塞材１１で窓１０を閉塞するとともに容器４の口端２２を閉塞して待機するものである。
このようにホルダーＡは、上記動作の繰り返しで容器４から溶液を簡単に片手の洗い片に吐出できるものとして使用される。
【産業上の利用可能性】
【００１１】  本発明の液体収納容器用ホルダーは、家庭用具の分野で一般家庭向きに市販されることは勿論のこと、病院などの衛生設備向けの容器補助具としても大いに利用され得るものである。
【図面の簡単な説明】
【００１２】
【図１】  本発明の液体収納容器用ホルダーＡの説明図である。
【図２】  底板２の底面を示す部分説明図である。
【図３】  口端開閉子１２の斜視図である。
【図４】  口端開閉子１２の他の実施態様における液体収納容器用ホルダーＡの．要部の説明図である。
【図５】  口端開閉子１２の他の実施態様の説明図で、分図（ａ）はその正面図、分図（ｂ）はその右側面図、分図（ｃ）はその底面図である。
【符号の説明】
【００１３】１  背板
２  底板
２ａ  軸
２ｂ  切欠き
２ｃ  軸受部
３  支持体
４  容器
５  バンド
６  吸引レバー
７  吸盤
８  アーム
９  軸部
１０  窓
１１  閉塞材
１２  口端開閉子
１２ａ  軸受部
１２ｂ  長孔
１２ｃ  案内部
１２ｄ  操作軸
１２ｅ  口端開閉子本体
１２ｆ  Ｔスロット
１２ｇ  案内突片
１３  押圧レバー
１４  揺動体
１５  戻しバネ
１６  凸片
１７  押圧子
１８  切欠き窓
１９  押圧片
２０  垂直辺
２１  水平辺
２２  口端
Ａ  液体収納容器用ホルダー
【図１】
2006334381.tif 000003
【図２】
2006334381.tif 000004
【図３】
2006334381.tif 000005
【図４】
2006334381.tif 000006
【図５】
2006334381.tif 000007